(57)【要約】【課題】本発明は、装置毎に全ての商品に対応する発行データを記憶させておく必要がなく、各装置の記憶容量を必要最小限に抑えることができるラベルプリンタを提供することを課題とする。【解決手段】ホスト６０から受信した発行データを記憶する発行データ記憶部２８と、発行データを検索する検索項目の入力する入力部４０とを設け、ＣＰＵ２２は、入力部４０から入力された検索項目によって発行データ記憶部２８を検索することで、検索項目に該当する発行データを特定すると共に、発行データを特定できなかった場合には、入力部４０から入力された検索項目をホスト６０に送信することで、検索項目に該当する発行データをホスト６０から取得し、ホスト６０から取得された発行データに基づくラベル発行が指示された場合に、ホスト６０から取得された発行データを発行データ記憶部２８に記憶させる。【選択図】        図３
2008296393.tif 000002
【特許請求の範囲】
【請求項１】
ラベル発行に関する発行データを管理するホストと通信可能に構成され、前記ホストから受信した前記発行データに基づいてラベルを発行するラベルプリンタであって、
前記ホストから受信した前記発行データを記憶する発行データ記憶手段と、
該発行データ記憶手段に記憶されている発行データを検索する検索項目を入力する検索項目入力手段と、
該検索項目入力手段から入力された前記検索項目によって前記発行データ記憶手段を検索することで、前記検索項目に該当する前記発行データを特定する発行データ特定手段と、
該発行データ特定手段によって前記発行データを特定できなかった場合には、前記検索項目入力手段から入力された前記検索項目を前記ホストに送信することで、前記検索項目に該当する前記発行データを前記ホストから取得する発行データ取得手段と、
前記発行データ特定手段によって特定された前記発行データおよび前記発行データ取得手段によって取得された前記発行データを表示する表示手段と、
該表示手段に表示された前記発行データに基づくラベル発行を指示する発行指示入力手段と、
該発行指示入力手段によって前記ホストから取得された前記発行データに基づくラベル発行が指示された場合に、前記ホストから取得された前記発行データを前記発行データ記憶手段に記憶させる発行データ更新手段とを具備することを特徴とするラベルプリンタ。
【請求項２】
前記発行データには、有効期限が設定されており、
前記発行データ記憶手段から有効期限が過ぎている前記発行データを消去する発行データ消去手段を具備することを特徴とする請求項１記載のラベルプリンタ。
【請求項３】
前記発行データ消去手段は、前記発行データ特定手段によって特定された前記発行データの有効期限を判断することで、前記発行データ記憶手段から有効期限が過ぎている前記発行データを消去し、
前記発行データ取得手段は、前記発行データ消去手段によって有効期限が過ぎている前記発行データが消去された場合には、
前記検索項目入力手段から入力された前記検索項目を前記ホストに送信することで、前記検索項目に該当する前記発行データを前記ホストから取得することを特徴とする請求項２記載のラベルプリンタ。
【発明の詳細な説明】
【技術分野】
【０００１】
本発明は、ラベルを発行するラベルプリンタに関し、特に記憶している発行データに基づいてラベルを発行するラベルプリンタに関する。
【背景技術】
【０００２】
店舗に設置され、商品に貼付する価格表示ラベルを発行するラベルプリンタは、各商品の商品番号に関連づけられた品名、価格等のラベル発行に関する発行データを記憶しておく発行データ記憶部と、発行データ記憶部に記憶されている発行データを検索する検索項目を入力する入力手段とを有し、入力手段から入力した検索項目によって発行データ記憶部に記憶されている発行データを特定し、特定した発行データに基づいてラベルを発行するようになっている。このようなラベルプリンタにおいては、価格表示ラベルを発行する可能性がある商品の数に対応する発行データを発行データ記憶部に記憶しておく必要があるが、発行データ記憶部の記憶容量には、限りがあるため、外部記憶媒体を接続可能に構成し、外部記憶媒体とデータを授受するインタフェース部を設けたものが提案されている（例えば、特許文献１参照）。
【０００３】
しかしながら、従来技術では、ラベルプリンタに設けられた発行データ記憶部とラベルプリンタと接続される外部記憶媒体とに予め全ての商品に対応する発行データを記憶させておく必要があるため、複数のラベルプリンタが店舗に設置されている場合には、複数のラベルプリンタ毎に相応の記憶容量を確保しなければならないと共に、複数のラベルプリンタ毎に発行データ記憶部および外部記憶媒体に記憶されている発行データの管理を行わなければならず、発行データに変更等が生じた場合には、多大な労力が必要となってしまうという問題点があった。
【０００４】
【特許文献１】特開２００６−２８９８６２号公報
【発明の開示】
【発明が解決しようとする課題】
【０００５】
本発明は斯かる問題点に鑑みてなされたものであり、その目的とするところは、装置毎に全ての商品に対応する発行データを記憶させておく必要がなく、各装置の記憶容量を必要最小限に抑えることができ、さらに、発行データの変更等に簡単に対応することができるラベルプリンタを提供する点にある。
【課題を解決するための手段】
【０００６】
本発明は上記課題を解決すべく、以下に掲げる構成とした。
請求項１記載の発明の要旨は、ラベル発行に関する発行データを管理するホストと通信可能に構成され、前記ホストから受信した前記発行データに基づいてラベルを発行するラベルプリンタであって、前記ホストから受信した前記発行データを記憶する発行データ記憶手段と、該発行データ記憶手段に記憶されている発行データを検索する検索項目を入力する検索項目入力手段と、該検索項目入力手段から入力された前記検索項目によって前記発行データ記憶手段を検索することで、前記検索項目に該当する前記発行データを特定する発行データ特定手段と、該発行データ特定手段によって前記発行データを特定できなかった場合には、前記検索項目入力手段から入力された前記検索項目を前記ホストに送信することで、前記検索項目に該当する前記発行データを前記ホストから取得する発行データ取得手段と、前記発行データ特定手段によって特定された前記発行データおよび前記発行データ取得手段によって取得された前記発行データを表示する表示手段と、該表示手段に表示された前記発行データに基づくラベル発行を指示する発行指示入力手段と、該発行指示入力手段によって前記ホストから取得された前記発行データに基づくラベル発行が指示された場合に、前記ホストから取得された前記発行データを前記発行データ記憶手段に記憶させる発行データ更新手段とを具備することを特徴とするラベルプリンタに存する。
また請求項２記載の発明の要旨は、前記発行データには、有効期限が設定されており、前記発行データ記憶手段から有効期限が過ぎている前記発行データを消去する発行データ消去手段を具備することを特徴とする請求項１記載のラベルプリンタに存する。
また請求項３記載の発明の要旨は、前記発行データ消去手段は、前記発行データ特定手段によって特定された前記発行データの有効期限を判断することで、前記発行データ記憶手段から有効期限が過ぎている前記発行データを消去し、前記発行データ取得手段は、前記発行データ消去手段によって有効期限が過ぎている前記発行データが消去された場合には、前記検索項目入力手段から入力された前記検索項目を前記ホストに送信することで、前記検索項目に該当する前記発行データを前記ホストから取得することを特徴とする請求項２記載のラベルプリンタに存する。
【発明の効果】
【０００７】
本発明のラベルプリンタは、ホストから受信した発行データを記憶する発行データ記憶手段と、発行データ記憶手段に記憶されている発行データを検索する検索項目の入力する検索項目入力手段とを設け、入力手段から入力された検索項目によって発行データ記憶手段を検索することで、検索項目に該当する発行データを特定する発行データ特定手段によって発行データを特定できなかった場合には、入力手段から入力された検索項目をホストに送信することで、検索項目に該当する発行データをホストから取得し、ホストから取得された発行データに基づくラベル発行が指示された場合に、ホストから取得された発行データを発行データ記憶手段に記憶させるように構成することにより、実際にラベル発行に用いられた発行データのみが装置毎にそれぞれ記憶されることになるため、複数の装置が店舗に設置されている場合でも、装置毎に全ての商品に対応する発行データを記憶させておく必要がないため、各装置の記憶容量を必要最小限に抑えることができるという効果を奏する。
【０００８】
さらに、本発明のラベルプリンタは、発行データに有効期限を設定しておき、発行データ記憶手段から有効期限が過ぎている発行データを消去するように構成することにより、
有効期限によって発行データ記憶手段に記憶されている発行データを管理することができるため、発行データの変更等に簡単に対応することができるという効果を奏する。
【０００９】
さらに、本発明のラベルプリンタは、発行データ特定手段によって特定された発行データの有効期限を判断することで、発行データ記憶手段から有効期限が過ぎている発行データを消去し、有効期限が過ぎている発行データが発行データ記憶手段から消去された場合には、入力手段から入力された検索項目をホストに送信することで、検索項目に該当する発行データをホストから取得するように構成することにより、一連のラベル発行動作中に発行データ記憶手段に記憶される発行データの更新作業を行うことができるという効果を奏する。
【発明を実施するための最良の形態】
【００１０】
以下、本発明の実施の形態を図面に基づいて詳細に説明する。
【００１１】
図１は、本発明に係るラベルプリンタの実施の形態の接続状態を示すシステム構成図であり、図２は、本発明に係るラベルプリンタの実施の形態の構成を示す構成図であり、図３は、図２に示す制御部の構成を示すブロック図であり、図４は、図３に示す発行データ記憶部に記憶されている発行データ例を示す図である。
【００１２】
本実施の形態のラベルプリンタ１は、商品を販売する店舗に設置され、商品に貼付する値札ラベルを印字するラベル印字装置であり、図１を参照すると、インターネットやＬＡＮ等のネットワーク７０経由でパーソナルコンピュータ等のホスト６０と接続されている。なお、本実施の形態では、ネットワーク７０経由でホスト６０と接続するように構成したが、ラベルプリンタ１とホスト６０とを有線や無線で直接接続するように構成しても良い。
【００１３】
ラベルプリンタ１は、帯状台紙２に仮着されているラベル３を被印字媒体として印字を施す印字手段であり、図２を参照すると、プラテンローラ４と、発熱体がプラテンローラ４に対向する面に形成されているサーマルヘッド５とを有し、複数枚のラベル３が帯状台紙２に仮着されているラベル連続体６をプラテンローラ４とサーマルヘッド５との間に挟持搬送し、サーマルヘッド５の発熱体を選択的に発熱させることにより、ラベル３を感熱発色させて所望の文字、バーコード等の印字を施すように構成されている。なお、熱転写リボンとラベル連続体６をプラテンローラ４とサーマルヘッド５との間に挟持搬送し、熱転写リボンのインクをラベル３に転写させて印字を施すようにしても良い。
【００１４】
ラベル３は、帯状台紙２に間隔をおいて仮着されたラベル連続体６として用いられ、巻き芯７にロール状に巻き回された状態で用紙供給部８に装填される。ラベル連続体６（帯状台紙２）の裏面側には、ラベル３の先端を検出するための図示しない位置検出マーク（例えば、アイマークと称される黒の矩形のマーク）が印刷等によって形成されており、プラテンローラ４とサーマルヘッド５との間に搬送されるラベル連続体６の裏面に形成された位置検出マークを検出し、位置検出マークの検出信号を出力するセンサ１０が設けられている。位置検出マークの検出信号は、センサ１０から制御部２０に入力され、制御部２０は、位置検出マークの検出信号に基づく印字タイミングで、サーマルヘッド５と、プラテンローラ４を回転駆動する搬送モータ１１とを制御して印字を施す。
【００１５】
制御部２０には、パーソナルコンピュータ等のホスト６０が外部インタフェース（外部Ｉ／Ｆ）３０を介して接続され、外部Ｉ／Ｆ３０を介して、外部に接続されたホスト６０との間で各種データやコマンドの送受信を行うことができるようになっている。また、制御部２０には、各種データやコマンドを入力するための入力部４０と、入力部４０から入力された入力データや各種情報を表示すると共に、各種入力を受け付けるタッチパネル等の表示入力部５０とがインタフェース（Ｉ／Ｆ）３１を介して接続され、入力部４０および表示入力部５０から入力された入力データは、Ｉ／Ｆ３１を介して制御部２０に供給され、表示入力部５０に表示される各種情報に対応する表示データは、Ｉ／Ｆ３１を介して制御部２０より供給されるようになっている。
【００１６】
制御部２０は、図３を参照すると、所定の制御プログラムとフォントデータとを記憶するＲＯＭ(read only memory)２１と、ＲＯＭ２１に記憶されている制御プログラムに従って動作し、各部を制御するＣＰＵ(central  processing  unit)２２と、ＣＰＵ２２が動作する上で必要となる各種データを記憶するＲＡＭ(random  access  memory)２３と、搬送モータ１１にパルス信号等の駆動信号を供給し、搬送モータ１１を回転させる搬送制御部２４と、ＣＰＵ２２からの指示に基づいてサーマルヘッド５に印字動作を行わせる印字制御部２５と、ＣＰＵ２２の制御下、センサ１０から位置検出マークの検出信号を受け取り、デジタルのデータに変換することでピッチ信号としてＣＰＵ２２に供給するラベル検出部２６と、カレンダ機能を備えたカレンダＩＣ２７と、発行データを記憶する発行データ記憶部２８とを備えている。
【００１７】
発行データ記憶部２８に記憶される発行データは、商品の貼付する値札ラベルを発行するためのデータであり、発行データは、図４を参照すると、商品毎に割り当てられている商品コード等の固有の商品番号と、商品の品名、価格および原産地と、有効期限とからなる。なお、ホスト６０には、全ての商品の発行データが記憶されており、発行データ記憶部２８には、ホスト６０から受信した発行データが記憶される。また、入力部４０および表示入力部５０から入力されたデータを発行データとして発行データ記憶部２８に記憶することもできる。さらに、本実施の形態では、商品番号と、商品の品名、価格および原産地と、有効期限とからなる発行データを用いたが、発行データは、ラベルに印字する項目に応じて適宜設定されるものであり、例えば、原材料や賞味期限等を発行データに含めるようにしても良い。
【００１８】
ＣＰＵ２２は、発行を指示された発行データに含まれる文字情報に対応するフォントデータをＲＯＭ２１から読み出し、フォーマット情報に基づいて文字を展開したビットマップイメージデータをＲＡＭ２３の描画領域に展開し、ＲＡＭ２３の描画領域に展開したビットマップイメージデータの印字を印字制御部２５に指示すると共に、搬送制御部２４に対してラベル連続体６の搬送を指示する。印字制御部２５は、ＣＰＵ２２からの指示に基づいて、ＲＡＭ２３の描画領域に展開されているビットマップイメージデータに対応して、サーマルヘッド５に対して制御信号を供給し、印字処理を行う。また、搬送制御部２４は、ＣＰＵ２２からの指示に基づいて、搬送モータ１１に対して所定の駆動信号を供給し、搬送モータ１１を駆動させる。これにより、プラテンローラ４とサーマルヘッド５とでラベル連続体６を挟持搬送しながらラベル３に印字データを印字する。
【００１９】
次に、本実施の形態における商品番号を指定した発行動作について図５乃至図７を参照して詳細に説明する。
図５は、本発明に係るラベルプリンタの実施の形態における商品番号を指定した発行動作を説明するためのフローチャートであり、図６は、図２に示す表示入力部に表示される画面を示す図であり、（ａ）は、検索項目選択画面であり、（ｂ）は、商品番号入力画面であり、（ｃ）は、発行データ確認画面である。図７は、図３に示す発行データ記憶部に発行データを追加記憶する動作を説明するための説明図である。
【００２０】
入力部４０からの入力により、発行モードが指定されると、ＣＰＵ２２は、図６（ａ）に示す検索項目選択画面を表示入力部５０に表示させ、検索項目の選択を受け付け、検索項目として商品番号が選択されると（ステップＡ１）、図６（ｂ）に示す商品番号入力画面を表示入力部５０に表示させ、商品番号の入力を受け付ける（ステップＡ２）。
【００２１】
入力部４０からの入力により、商品番号が入力されると、ＣＰＵ２２は、入力された商品番号に基づいて発行データ記憶部２８を検索し（ステップＡ３）、入力された商品番号の発行データ（以下、該当発行データと称す）が発行データ記憶部２８に記憶されているか否かを判断すると共に（ステップＡ４）、ステップＡ４で該当発行データが発行データ記憶部２８に記憶されている場合には、カレンダＩＣ２７を参照することにより、該当発行データの有効期限が有効か否かを判断する（ステップＡ５）。なお、商品に商品番号がバーコード等のコード情報によって表示されている場合には、スキャナによって商品番号を入力するようにしても良く、さらに、商品に設けられたＲＦＩＤに商品番号が記憶されている場合には、リーダを用いて商品番号を入力するようにしても良い。
【００２２】
ステップＡ４で該当発行データが発行データ記憶部２８に記憶されており、ステップＡ５で該当発行データの有効期限が有効である場合には、ＣＰＵ２２は、該当発行データを発行データ記憶部２８から読み出し、図６（ｃ）に示すような、該当発行データの内容を確認するための発行データ確認画面を表示入力部５０に表示させる（ステップＡ６）。例えば、発行データ記憶部２８に記憶されている発行データが図４に示す状態である場合に、入力部４０からの入力により、商品番号「００００１」が入力されると、商品番号「００００１」に対応する発行データが発行データ記憶部２８に記憶されているため、ホスト６０との間に通信が行われることなく、商品番号「００００１」の発行データが発行データ確認画面に表示されることになる。
【００２３】
ＣＰＵ２２は、発行データ確認画面を表示入力部５０に表示させると、入力部４０もしくは表示入力部５０からの発行枚数を指定した発行指示入力を監視し（ステップＡ７）、発行指示入力が行われると、該当発行データに基づくラベルの発行処理を実行し（ステップＡ８）、発行指示入力が行われることなく、取り消しキー等で発行動作の中止が指示されると、検索項目選択画面を表示入力部５０に表示させ、ステップＡ１での検索項目の選択処理に戻る。
【００２４】
ステップＡ４で該当発行データが発行データ記憶部２８に記憶されていない場合には、ＣＰＵ２２は、入力された商品番号を発行データ送信要求としてホスト６０に送信する（ステップＡ９）。例えば、発行データ記憶部２８に記憶されている発行データが図４に示す状態である場合に、入力部４０からの入力により、商品番号「００００５」が入力されると、商品番号「００００５」に対応する発行データが発行データ記憶部２８に記憶されていないため、ＣＰＵ２２によって、商品番号「００００５」の発行データの送信が自動的にホスト６０に要求されることになる。
【００２５】
次に、発行データ送信要求に対応して、ホスト６０から該当発行データが受信されると（ステップＡ１０）、ＣＰＵ２２は、図６（ｃ）に示すような、該当発行データの内容を確認するための発行データ確認画面を表示入力部５０に表示させる（ステップＡ１１）。例えば、図７（ａ）に示す商品番号「００００５」の発行データがホスト６０から受信された場合には、図７（ｂ）に示すように、商品番号「００００５」の発行データが発行データ記憶部２８に追加記憶され、さらに、図６（ｃ）に示すように、商品番号「００００５」の発行データが発行データ確認画面に表示される。
【００２６】
ステップＡ４で該当発行データが発行データ記憶部２８に記憶されているが、ステップＡ５で該当発行データの有効期限が有効でない（有効期限が過ぎている）場合には、ＣＰＵ２２は、発行データ記憶部２８に記憶されている該当発行データを消去し（ステップＡ１２）、ステップＡ９に至る。これにより、有効期限が経過している該当発行データは、発行データ記憶部２８から消去されることになり、誤って古い発行データがラベル３に印字されることを防止することができる。
【００２７】
ＣＰＵ２２は、発行データ確認画面を表示入力部５０に表示させると、入力部４０もしくは表示入力部５０からの発行枚数を指定した発行指示入力を監視し（ステップＡ１３）、発行指示入力が行われると、ホスト６０から受信され、発行指示された該当発行データを発行データ記憶部２８に追加記憶させると共に（ステップＡ１４）、該当発行データに基づくラベルの発行処理を実行し（ステップＡ８）、発行指示入力が行われることなく、取り消しキー等で発行動作の中止が指示されると、検索項目選択画面を表示入力部５０に表示させ、ステップＡ１での検索項目の選択処理に戻る。
【００２８】
なお、本実施の形態では、ステップＡ５で有効期限が過ぎて有効でないと判断された場合には、ステップＡ１２で該当発行データを発行データ記憶部２８から消去するように構成したが、電源立ち上げ時や所定の時刻等の発行データ記憶部２８に記憶されている発行データの有効期限をチェックし、有効期限が過ぎているものを自動的に消去するように構成しても良い。
【００２９】
次に、本実施の形態における商品番号以外の検索項目を指定した発行動作について図８乃至図１０を参照して詳細に説明する。
図８は、本発明に係るラベルプリンタの実施の形態における商品番号以外の検索項目を指定した発行動作を説明するためのフローチャートであり、図９は、図２に示す表示入力部に表示される画面を示す図であり、（ａ）は、品名入力画面であり、（ｂ）および（ｃ）は、発行データ選択画面である。図１０は、図３に示す発行データ記憶部に発行データを追加記憶する動作を説明するための説明図である。
【００３０】
上述の商品番号を指定した発行動作では、商品番号の入力によって１つの発行データが特定される例について説明したが、商品番号以外の検索項目をした場合には、複数の発行データが特定される場合がある。
【００３１】
入力部４０からの入力により、発行モードが指定されると、ＣＰＵ２２は、図６（ａ）に示す検索項目選択画面を表示入力部５０に表示させ、検索項目の選択を受け付け、検索項目として品名、原産地のいずれかが選択されると（ステップＢ１）、検索項目の入力を受け付ける入力画面を表示入力部５０に表示させ、選択された検索項目の入力を受け付ける（ステップＢ２）。例えば、検索項目として品名が選択された場合には、図９（ａ）には、品名の入力を検索項目として受け付ける品名入力画面を示す。
【００３２】
表示入力部５０からの入力により、検索項目が入力されると、ＣＰＵ２２は、入力された検索項目に基づいて発行データ記憶部２８を検索し（ステップＢ３）、入力された検索項目の発行データ（以下、該当発行データと称す）が発行データ記憶部２８に記憶されているか否かを判断する（ステップＢ４）。
【００３３】
ステップＢ４で該当発行データが発行データ記憶部２８に記憶されている場合には、ＣＰＵ２２は、該当発行データを発行データ記憶部２８から読み出し、図７（ｂ）に示すような、該当発行データの内容を確認し、印字する該当発行データを選択する発行データ選択画面を表示入力部５０に表示させる（ステップＢ５）。図７（ｂ）には、発行データ記憶部２８に記憶されている発行データが図４に示す状態である場合に、入力部４０からの入力により、品名「みかん」が入力され、品名「みかん」の発行データが発行データ選択画面に表示されている状態が示されている。なお、検索項目に該当する該当発行データが発行データ記憶部２８に複数個記憶されている場合には、複数個の該当発行データが発行データ確認画面に表示される。また、有効期限が過ぎて無効となっている該当発行データが存在する場合には、有効期限が無効となっている該当発行データは、発行データ確認画面に表示することなく、発行データ記憶部２８から消去するようにすると良い。
【００３４】
ＣＰＵ２２は、ステップＢ５で発行データ選択画面を表示入力部５０に表示させると、入力部４０もしくは表示入力部５０からの該当発行データを選択すると共に、発行枚数を指定した発行指示入力を監視し（ステップＢ６）、発行指示入力が行われると、該当発行データに基づくラベルの発行処理を実行する（ステップＢ７）。
【００３５】
ステップＢ４で該当発行データが発行データ記憶部２８に記憶されていない場合と、ステップＢ６で発行指示入力が行われることなく、取り消しキー等で発行動作の中止が指示されると、ＣＰＵ２２は、入力された検索項目を発行データ送信要求としてホスト６０に送信する（ステップＢ８）。例えば、発行データ記憶部２８に記憶されている発行データが図４に示す状態である場合に、入力部４０からの入力により、品名「みかん」が入力されると、品名「みかん」に対応する発行データが発行データ記憶部２８に記憶されていないか、品名「みかん」に対応する発行データの発行が指示されなかった場合には、ＣＰＵ２２によって、品名「みかん」の発行データの送信が自動的にホスト６０に要求されることになる。
【００３６】
次に、発行データ送信要求に対応して、ホスト６０から該当発行データが受信されると（ステップＢ９）、ＣＰＵ２２は、図９（ｃ）に示すような、該当発行データの内容を確認し、印字する該当発行データを選択する発行データ選択画面を表示入力部５０に表示させる（ステップＢ１０）。例えば、図１０（ａ）に示す品名「みかん」の発行データ（品名「みかんＡ」、「みかんＢ」）がホスト６０から受信された場合には、図１０（ｂ）に示すように、品名「みかんＡ」、「みかんＢ」の発行データが発行データ記憶部２８に追加記憶され、さらに、図９（ｃ）に示すように、品名「みかんＡ」、「みかんＢ」の発行データが発行データ選択画面に表示される。なお、「みかんＡ」、「みかんＢ」の発行データは、商品番号０００１０のみかんの発行データとは一部のデータ（価格や原産地など）が異なるデータであり、図９（ｃ）の表示入力部５０に触れることでそれぞれの価格や原産地や有効期限などの情報を確認することができるようになっている。
【００３７】
ＣＰＵ２２は、ステップＢ１０で発行データ選択画面を表示入力部５０に表示させると、入力部４０もしくは表示入力部５０からの該当発行データを選択すると共に、発行枚数を指定した発行指示入力を監視し（ステップＢ１１）、発行指示入力が行われると、ホスト６０から受信され、発行指示された該当発行データを発行データ記憶部２８に追加記憶させると共に（ステップＢ１２）、該当発行データに基づくラベルの発行処理を実行し（ステップＢ７）、発行指示入力が行われることなく、取り消しキー等で発行動作の中止が指示されると、検索項目選択画面を表示入力部５０に表示させ、ステップＢ１での検索項目の選択処理に戻る。
【００３８】
以上説明したように、本実施の形態によれば、ホスト６０から受信した発行データを記憶する発行データ記憶部２８と、発行データ記憶部２８に記憶されている発行データを検索する検索項目の入力する入力部４０とを設け、ＣＰＵ２２は、入力部４０から入力された検索項目によって発行データ記憶部２８を検索することで、検索項目に該当する発行データを特定すると共に、発行データを特定できなかった場合には、入力部４０から入力された検索項目をホスト６０に送信することで、検索項目に該当する発行データをホスト６０から取得し、ホスト６０から取得された発行データに基づくラベル発行が指示された場合に、ホスト６０から取得された発行データを発行データ記憶部２８に記憶させるように構成することにより、実際にラベル発行に用いられた発行データのみが装置毎にそれぞれ記憶されることになるため、複数の装置が店舗に設置されている場合でも、装置毎に全ての商品に対応する発行データを記憶させておく必要がないため、各装置の記憶容量を必要最小限に抑えることができるという効果を奏する。
【００３９】
さらに、本発明のラベルプリンタは、発行データに有効期限を設定しておき、ＣＰＵ２２は、発行データ記憶部２８から有効期限が過ぎている発行データを消去するように構成することにより、有効期限によって発行データ記憶部２８に記憶されている発行データを管理することができるため、発行データの変更等に簡単に対応することができるという効果を奏する。
【００４０】
さらに、本発明のラベルプリンタは、ＣＰＵ２２は、特定した発行データの有効期限を判断することで、発行データ記憶部２８から有効期限が過ぎている発行データを消去すると共に、有効期限が過ぎている発行データを発行データ記憶部２８から消去した場合には、入力部４０から入力された検索項目をホスト６０に送信することで、検索項目に該当する発行データをホスト６０から取得するように構成することにより、一連のラベル発行動作中に発行データ記憶手段に記憶される発行データの更新作業を行うことができるという効果を奏する。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４２】
【図１】本発明に係るラベルプリンタの実施の形態の接続状態を示すシステム構成図である。
【図２】本発明に係るラベルプリンタの実施の形態の構成を示す構成図である。
【図３】図２に示す制御部の構成を示すブロック図である。
【図４】図３に示す発行データ記憶部に記憶されている発行データ例を示す図である。
【図５】本発明に係るラベルプリンタの実施の形態における商品番号を指定した発行動作を説明するためのフローチャートである。
【図６】図２に示す表示入力部に表示される画面を示す図であり、（ａ）は、検索項目選択画面であり、（ｂ）は、商品番号入力画面であり、（ｃ）は、発行データ確認画面である。
【図７】図３に示す発行データ記憶部に発行データを追加記憶する動作を説明するための説明図である。
【図８】本発明に係るラベルプリンタの実施の形態における商品番号以外の検索項目を指定した発行動作を説明するためのフローチャートである。
【図９】図２に示す表示入力部に表示される画面を示す図であり、（ａ）は、品名入力画面であり、（ｂ）および（ｃ）は、発行データ選択画面である。
【図１０】図３に示す発行データ記憶部に発行データを追加記憶する動作を説明するための説明図である。
【符号の説明】
【００４３】
１  ラベルプリンタ
２  帯状台紙
３  ラベル
４  プラテンローラ
５  サーマルヘッド
６  ラベル連続体
７  巻き芯
８  用紙供給部
１０  センサ
１１  搬送モータ
２０  制御部
２１  ＲＯＭ
２２  ＣＰＵ
２３  ＲＡＭ
２４  搬送制御部
２５  印字制御部
２６  ラベル検出部
２７  カレンダＩＣ
２８  発行データ記憶部
３０  外部インタフェース（外部Ｉ／Ｆ）
３１  インタフェース（Ｉ／Ｆ）
４０  入力部
５０  表示入力部
６０  ホスト
７０  ネットワーク
【図１】
2008296393.tif 000003
【図２】
2008296393.tif 000004
【図３】
2008296393.tif 000005
【図４】
2008296393.tif 000006
【図５】
2008296393.tif 000007
【図６】
2008296393.tif 000008
【図７】
2008296393.tif 000009
【図８】
2008296393.tif 000010
【図９】
2008296393.tif 000011
【図１０】
2008296393.tif 000012